(57)【要約】  衛生的で、柔軟なカバー（１０）がフリップトップ缶（１２）の上部の周りに巻かれる。カバー（１０）は、円形のディスク（１３）、ディスク（１３）の周囲のまわりの凹面のリム（１４）、および凹面のリム（１４）から伸びるフレアスカート（１５）で構成される。カバーは成型またはプレスにより形成される。カバーは、ヒートシュリンク、のり付け、または機械的なぴったりとしたフィッティングにより缶に適用することができる。缶の上部はディスク（１３）により保護され、缶の肩はスカート（１５）により保護される。凹型のリム（１４）は缶のリップ（１６）の周囲に固定され、カバーを保持し、飲む前に簡単に取ることができる。さらに、リンク（２５）により複数のカバー（２４）を連結することができる。【特許請求の範囲】
【請求項１】
フリップトップ缶用の衛生的な保護カバー。
【請求項２】
該表面がプロモーションおよび広告の媒体となる、請求項１記載のカバー。
【請求項３】
生産方法が以下の公知の方法の組み合わせを含む、請求項１記載のカバー：
（ａ）押し出し；
（ｂ）加熱；
（ｃ）接着；
（ｄ）プレス
（ｅ）切断；
（ｆ）ラッピング；
（ｇ）結合；
（ｈ）融着；
（ｉ）半田付；
（ｊ）ミシン目；および
（ｋ）印刷。
【発明の詳細な説明】
【技術分野】
【０００１】
本発明は、フリップトップ式の飲料缶に一般に関する。
【０００２】
従来技術
フリップトップ式の飲料缶は、パッケージングなしで典型的には販売のために貯蔵されるか陳列される。長期間における汚染物質は、それらのトップ／両端に、および特に端の深いくぼみの近くで蓄積する。これらの汚染物質は缶からの飲料のオーバフローと混合し、また缶から直接飲む消費者の消化器系へ洗い流される。飲料がグラスへつがれる時でさえ、依然としてリム上の汚染物質はグラスへ洗い流されるだろう。
【０００３】
発明の目的および効果
従って、本発明にかかる衛生的な保護カバーの目的および効果は次のとおりである：
（ａ）缶のヘッドおよびネックに封をする衛生的なカバーを提供すること；
（ｂ）異なる材料およびそれらの組み合せを利用するアルミニウム缶のために保護カバーを提供すること；
（ｃ）製造および使用に関し容易で安いこと；
（ｄ）缶の上に存在する健康に害のある粒子状物質への消費者の唇および口への直接の接触を排除する衛生的なカバーを提供すること；
（ｅ）柔軟で、追従性があり、引き裂き可能で、接着可能で、積み重ね可能な、カバー材料、およびカバー材料の組み合せを提供すること；
（ｆ）印刷可能なカバー材料を提供すること；
（ｇ）缶の肩を保護するためにカバーにフレアスカートを供給すること。
【０００４】
本発明のさらなる目的および利点は、図面の考察および以下の記載から明白になるであろう。
【０００５】
本発明は、消費者の唇と直接接触する、表面、ネック、そして缶の下方部分までのカバーおよびそのカバー方法を提供することにより、フリップトップ式の缶から直接に飲む場合に消費者が遭遇する、健康および衛生学的な問題の解決策を提供する。
【０００６】
図１および１Ａは、従来の飲料缶の上に位置する本発明の衛生的な保護カバーの透視図である。
図２および２Ａは、缶に付けられた本発明のカバーの透視図である。
図３および３Ａは飲料缶上の本発明のカバーの切断図である。
図４および４Ａは飲料缶上に形成されているフラットシートについての図である。
図５および５Ａは、缶の上にプレス加工したフラットシートの透視図である。
図６および６Ａは分離の様々な方法である。
図７から７Ｆは好ましい実施態様である。
図８は結合されたカバーの図である。
図９および９Ａはカバーの表面の下の印刷されたプロモーションの図である。
図１０および１０のＡが、カバーの上面中の印刷されたプロモーションの図である。
図１１および１１Ａは他のプロモーションの実施態様である。
図１２および１２Ａはプロモーションの実施態様である。
図１３はカバーの別の機能を示す。
図１４はそれについて第１およびオリジナルの実施態様である。
図１５および１５Ａはそれについてのオリジナルの実施態様である。
図１６および１６Ａはそれについてのさらなるオリジナルの実施態様である。
図１７および１７Ａはそれについてのさらなるオリジナルの実施態様である。
図１８は、カバー上のタブおよびパーホレーションについてのオリジナルの図である。
【０００７】
図面参照数字
１０：カバー
１１；トップ／オープニング
１２；飲料缶
１３；ディスク
１４；凹面のリム
１５；フレアスカート
１６；凸面のリップ
１７；肩
１８；トランジション
１９；垂直の壁
２０；フラットシート
２１；フラットシート
２２；プレス
２３；キャビティー
２４；カバー
２５；リンク
２６；印刷されたプロモーション  
２７；飲料
２８；タブ
２９；ミシン目
【０００８】
図１−３および１Ａ−３Ａ：
本発明の衛生的なカバーの第１の実施態様は図１および１Ａの透視図で示される。それは、従来の飲料缶１２のトップ１１のための柔軟なカバー１０で構成される。カバー１０は、円形のディスク１３、ディスク１３の周囲のまわりの凹面のリム１４、および凹面のリム１４から伸びるフレアスカート１５で構成される。カバー１０の内部から見られた時、リム１４は凸面である。
【０００９】
カバー１０は、ポリエチレン、ポリプロピレン、ナイロン、紙、アルミニウム、および他の現在公知の材料と将来の材料、およびそれらの組み合わせのようなプラスチック材料で作られることができる。カバー１０は、成形、押し出し、キャッピング、ラッピング、パンチング、シーリングおよび接着の技術の組み合せにより缶のトップの上に適用される。図２および２Ａでは、カバー１０は缶１２に適用される。図３では、カバー１０の凹面のリム１４は缶１２の凸面のリップ１６のまわりにぴったりと固定し、カバー１０を所定位置に保持する。フレアスカート１５は缶１２のテーパーを有するショルダー１７に緊密に一致するように形作られ、缶１２のテーパーを有するショルダー１７と垂直の壁１９の間のトランジション１８までのびるように十分に長い。広告はカバー１０上に印刷されることもできる。従って、缶１２のトップ１１、およびショルダー１７は、カバー１０によって汚染物質から保護される。カバー１０は缶１２から容易にはがすことができる。
【００１０】
図４および４Ａ：
図４の中で示されるように、カバー１０も、フラットシート２０を成型し、缶１２のトップ１１の上にヒートシュリンクにより適用することができる。別法として、シート２０はのり付けされてもよい。
【００１１】
図５および５Ａ：
図５の中で示されるように、クラウンを作る別の方法は缶１２のトップ１１の上にフラットシート２１をプレス２２でプレスすることを含む。プレス２２でのキャビティー２３は缶１２のトップ１１に一致するように形作られる。フラットシート２１は、紙、アルミニウム、プラスチックなどのような任意の変形可能な材料で作られることができる。フラットシート２１は缶１２の上に、摩擦、接着、機械的な締結などにより保持されることができる。
【００１２】
図６および６Ａ：
図６の中で示されるように、カバー１０は缶１２から、カバー１０とフレアスカート１５の間に提供されるスペースの下に指を入れることにより離される。図６Ａでは、缶１２のトップ１１から完全に脱着され分離された、カバー１０が示される。
【００１３】
図７から７Ｆ：
カバー１０は２つの異なる態様で缶１２のトップ１１の上に示される。図７Ａが改質されたプラスチックで作られている一方、図７は改質されたアルミニウムで作られている。図７Ｂは、缶１２のカバー１０のフレアスカート１５の変形を示す。図７Ｃは、缶１２のトップ１１の上のフレアスカート１５の別の変化を示す。図７Ｅおよび７Ｆは、缶１２のトップ１１の上のフレアスカート１５の別の変化を示す。
【００１４】
図８：
複数のカバー２４は、一体となったリンク２５と一緒に互いに接続され、好ましくは成形により作られる。マルチパック缶の上の複数のリンク２５のカバー２４は、ヒートシュリンク、ラッピング、プレス、のり付け、機械的なぴったりとしたフィッティングにより適用することができる。
【００１５】
図９および９Ａ：
図９の中で示されるのは、懸賞をプロモーション２６する、フレアスカート１５を備えたカバー１０である。図９Ａは、リンク２５されたカバー２４であって、付着点としてのフレアスカート１５を示す。フレアスカート１５を備えたカバー１０には様々な製品をプロモーションする印刷２６が示される。
【００１６】
図１０および１０Ａ：
図１０は、強調されたフレアスカート１５を備えたカバー１０の表面上の印刷プロモーション２６についての分解組み立て図を示す。図１０Ａはフレアスカート１５の点でリンク２５された、カバー２４を示す。異なる印刷プロモーション２６が表示される。
【００１７】
図１１および１１Ａ：
図１１において、アミューズメントのソースとして示されているフレアスカート１５を有するカバー１０を用いた印刷プロモーションを示す。図１１Ａは別の印刷プロモーション２６を示す。ここでは、フレアスカート１５を備えたカバー１０は、飲料２７をプロモーションしている。
【００１８】
図１２および１２Ａ：
印刷プロモーション２６の別の実施態様が示される。ジャイアント缶がジャイアントカバー１０を有し、巨大なフレアスカート１５が興奮を誘う。図１２Ａは別の印刷プロモーション２６を示す。ここでは、フレアスカート１５を備えたカバー１０は、飲料だけでなくサービスもプロモーションするために使用されている。
【００１９】
図１３：
カバー１０のフレアスカート１５の取り囲んだ伸張した特徴は、灰皿のような使用を見いだす。
図１４：
フレアスカート１５を備えたカバー１０のオリジナルの実施態様である。
図１５およびおよび１５Ａ：
図１５および１５Ａでは、カバー１０はフレアスカート１５に囲まれる。
【００２０】
図１６および１６のＡ：
図１６は、フレアスカート１５を有するカバー１０用に、アルミニウムおよびプラスチックを組み合わせた。
図１７：
缶１２のトップ１１の上のカバー１０のオリジナルの実施態様を示す．
図１８：
タブ２８およびミシン目２９を備えたフレアスカート１５を示す。
【００２１】
従って、本発明の衛生的なカバー１０は、汚染物質からフリップトップ式の飲料缶１２のトップ１１を保護する。フレアスカート１５は、汚染物質から缶１２のショルダー１７を保護する。カバー１０は缶１２への適用、およびそれからの分離が簡単で、安価に製造できる。フレアスカート１５を備えたカバー１０は、さらに印刷プロモーション２６のためのスペースを提供する．
【００２２】
上記の性状は具体的なものであるが、それはなんら本発明の限定をするものではなく、好ましい実施例の例示にすぎない。多くの変化が発明の教示に関連して可能である。
例えば、もし特に他の方法で示されなかったならば取り付け方法、固定具、材料、寸法、変形などを使用し適用することができる。要素の相対的位置は変わることができる。また、要素の形は変わることができる。
したがって、発明の範囲は、与えられた例ではなく請求項およびそれらの法的な等価物によって決定されるべきである。
【図面の簡単な説明】
【００２３】
図１および１Ａは、従来の飲料缶の上に位置する本発明の衛生的な保護カバーの透視図である。
図２および２Ａは、缶に付けられた本発明のカバーの透視図である。
図３および３Ａは飲料缶上の本発明のカバーの切断図である。
図４および４Ａは飲料缶上に形成されているフラットシートについての図である。
図５および５Ａは、缶の上にプレス加工したフラットシートの透視図である。
図６および６Ａは分離の様々な方法である。
図７から７Ｆは好ましい実施態様である。
図８は結合されたカバーの図である。
図９および９Ａはカバーの表面の下の印刷されたプロモーションの図である。
図１０および１０のＡが、カバーの上面中の印刷されたプロモーションの図である。
図１１および１１Ａは他のプロモーションの実施態様である。
図１２および１２Ａはプロモーションの実施態様である。
図１３はカバーの別の機能を示す。
図１４はそれについて第１およびオリジナルの実施態様である。
図１５および１５Ａはそれについてのオリジナルの実施態様である。
図１６および１６Ａはそれについてのさらなるオリジナルの実施態様である。
図１７および１７Ａはそれについてのさらなるオリジナルの実施態様である。
図１８は、カバー上のタブおよびパーホレーションについてのオリジナルの図である。
【符号の説明】
【００２４】
図面参照数字
１０：カバー
１１；トップ／オープニング
１２；飲料缶
１３；ディスク
１４；凹面のリム
１５；フレアスカート
１６；凸面のリップ
１７；肩
１８；トランジション
１９；垂直の壁
２０；フラットシート
２１；フラットシート
２２；プレス
２３；キャビティー
２４；カバー
２５；リンク
２６；印刷されたプロモーション  
２７；飲料
２８；タブ
２９；ミシン目
【図１】
2005512895.tif 000002
【図２】
2005512895.tif 000003
【図３】
2005512895.tif 000004
【図１Ａ】
2005512895.tif 000005
【図２Ａ】
2005512895.tif 000006
【図３Ｂ】
2005512895.tif 000007
【図４】
2005512895.tif 000008
【図５】
2005512895.tif 000009
【図４Ａ】
2005512895.tif 000010
【図５Ａ】
2005512895.tif 000011
【図６】
2005512895.tif 000012
【図６Ａ】
2005512895.tif 000013
【図７】
2005512895.tif 000014
【図７Ａ】
2005512895.tif 000015
【図７Ｂ】
2005512895.tif 000016
【図７Ｃ】
2005512895.tif 000017
【図７Ｄ】
2005512895.tif 000018
【図７Ｅ】
2005512895.tif 000019
【図７Ｆ】
2005512895.tif 000020
【図８】
2005512895.tif 000021
【図９】
2005512895.tif 000022
【図９Ａ】
2005512895.tif 000023
【図１０】
2005512895.tif 000024
【図１０Ａ】
2005512895.tif 000025
【図１１】
2005512895.tif 000026
【図１１Ａ】
2005512895.tif 000027
【図１２】
2005512895.tif 000028
【図１２Ａ】
2005512895.tif 000029
【図１３】
2005512895.tif 000030
【図１４】
2005512895.tif 000031
【図１５】
2005512895.tif 000032
【図１５Ａ】
2005512895.tif 000033
【図１６】
2005512895.tif 000034
【図１６Ａ】
2005512895.tif 000035
【図１７】
2005512895.tif 000036
【図１７Ａ】
2005512895.tif 000037
【図１８】
2005512895.tif 000038
【図１８Ａ】
2005512895.tif 000039
【国際調査報告】
2005512895.tif 000040